(57)【要約】  シェーバは、ハウジング（２）に取り付けられ、動作位置と清掃位置との間で動かせるシェービングヘッドホルダ（１０）を持つ。ヘアチャンバ（１３）は、前記シェービングヘッドホルダ（１０）と、ハウジングの一部との間に配置され、前記ハウジングの一部は、底部（１６）及び側壁部（１７）を含む。前記ヘアチャンバ（１３）は、該ヘアチャンバ（１３）の境界となる前記ハウジングの一部（１６、１７）の少なくとも１つにおける少なくとも1つの洗浄口（１８）を介して環境と通じている。１つ（又は複数の）前記洗浄口は、前記ハウジング（２）の外側に出口（１９）を持つ。
2007518438.tif 000002
【特許請求の範囲】
【請求項１】
ハウジングと、
髭を剃られるべき肌に接触する外面及び体毛収容開口部を持つ少なくとも１つのシェービングヘッド、並びにスクリーンの内面に沿って動ける少なくとも1つのカッタであって、前記体毛収容開口部を通って突き出る体毛を切断するために前記スクリーンと協働する少なくとも1つのカッタを担持し、前記ハウジングに取り付けられるシェービングヘッドホルダとを有するシェーバであり、
前記シェービングヘッドホルダと、前記ハウジングの一部との間にヘアチャンバが配置され、前記一部が底部及び側壁部を含むシェーバであって、
前記ヘアチャンバが、該ヘアチャンバの境界となる前記ハウジングの一部の少なくとも1つにおける少なくとも1つの洗浄口を介して環境と通じており、前記少なくとも1つの洗浄口が前記ハウジングの外側に出口を持つシェーバ。
【請求項２】
前記少なくとも1つの洗浄口を閉鎖する閉鎖位置と、水が前記少なくとも1つの洗浄口を通り抜けることを可能にする洗浄位置との間で変位可能な少なくとも１つの閉鎖部材を更に有する請求項１に記載のシェーバ。
【請求項３】
清掃のための前記ヘアチャンバへのアクセスを可能にするために、前記シェービングヘッドホルダが、動作位置から動かせる、即ち、前記ハウジングの一部から遠くへ動かせる請求項１又は２に記載のシェーバ。
【請求項４】
前記閉鎖位置から前記洗浄位置への変位であって、前記閉鎖位置においては、前記シェービングヘッドホルダが前記動作位置にあり、前記洗浄位置においては、前記シェービングヘッドホルダが前記動作位置から遠くへ動かされる変位のために、前記閉鎖部材が前記シェービングヘッドホルダに取り付けられる請求項２又は３に記載のシェーバ。
【請求項５】
前記洗浄口のうちの少なくとも２つが互いの反対側に取り付けられる請求項１乃至４のいずれか一項に記載のシェーバ。
【発明の詳細な説明】
【技術分野】
【０００１】
本発明は、体毛収容開口部を含むシェービングスクリーン(shaving screen)を備える１つ又は複数のシェービングヘッドと、前記体毛収容開口部を通って突き出る体毛を切断するために前記スクリーン内の該開口部と協働する１つ又は複数の駆動カッタとを持つシェーバに関する。前記１つ又は複数のシェービングヘッドの後ろにはヘアチャンバ(hair chamber)が配置され、前記ヘアチャンバ内に、切断された髭、体毛の塵埃及び肌の細片が集積する。前記ヘアチャンバが定期的に清掃されない場合には、非衛生的な状況が生じ、前記非衛生的な状況は、前記シェーバの機能を損ない、時には該シェーバの動作不良又は該シェーバの損傷すらも招く。このような集積は、前記ヘアチャンバの定期的な清掃によって防止されることができ、防止されるべきである。殆どのシェーバは、前記ハウジングに対する前記シェービングヘッドホルダのクイックリリース接続部、及び前記ヘアチャンバが開いている場合に様々なパーツを一緒に保持する保持手段などで、該ヘアチャンバへのアクセスを得るための幾つかのパーツのかなり容易な分解を可能にしており、幾つかのシェーバは、前記ヘアチャンバが、水、例えば蛇口から流れる水を流し掛けられ得るように防水性である。しかしながら、前記ヘアチャンバの清掃をより一層容易にしたいといった要求がある。
【背景技術】
【０００２】
体毛収容開口部を通して空気を吸い込むためのファンを含む様々なシェーバが従来技術から知られている。例えば日本の特開平０１−９７４９３号は、空気及び体毛を髭剃り刃の後ろから集塵部であって、フィルタを介して空気が排出される集塵部へ移動させるインペラを備えるシェーバを開示しており、米国特許第３，６３４，９３５号は、ファンと、シェービングヘッドから到来する空気流から体毛を分離するためのファンの下流の遠心分離機とを備えるシェーバを開示しており、米国特許第３，８２８，４３０号は、体毛がシェーバの外に吹き飛ばされるのを防止するために排気開口部の前に網を備えるシェーバを開示しており、米国特許第４，０３１，６１８号は、体毛を切断位置に引き込み、切断された体毛をケーシングから排出するための真空システムを備えるシェーバを開示しており、米国特許第４，０８９，１１０号は、切断された髭を集めるために排出口通路と通じている容器を備えるシェーバを開示している。
【０００３】
しかしながら、このようなシェーバの操作は、集毛容器及びフィルタが、そこに髭剃りくず(shaving debris)が詰まるのを防止するために定期的に空にされ、清掃される必要があることから煩わしい、又は髭及び体毛の塵埃などが相対的に大きい領域にわたってハウジングの外に吹き飛ばされることから環境を汚す。更に、切断された体毛及び皮膚のかなり多くがヘアチャンバ内に置き去りにされる。
【発明の開示】
【発明が解決しようとする課題】
【０００４】
本発明の目的は、シェーバのヘアチャンバの清掃を容易にするための解決策を提供することにある。
【課題を解決するための手段】
【０００５】
本発明によれば、この目的は、請求項１に記載のシェーバを供給することによって達成される。
【０００６】
前記ヘアチャンバの境界となるハウジングの一部の少なくとも1つにおける１つ又は複数の洗浄口(flushing port)は、水流が該ヘアチャンバを通って髭剃りくずを運び去るのを容易にすることによって髭剃りくずの洗い流しを容易にする。前記チャンバの境界となる前記ハウジングの一部における少なくとも1つの前記洗浄口は、前記ハウジングの外側に該洗浄口の出口を持つことから、水が非常に容易に該ヘアチャンバ内に流れ込み、該ヘアチャンバから流れ出ることを可能にする非常に短い洗浄口が得られる。
【０００７】
本発明の特定の実施例は従属項に記載されている。本発明の他の側面、作用効果及び詳細は、図面に示されている本発明によるシェーバの例の詳細な説明から明らかになる。
【発明を実施するための最良の形態】
【０００８】
図１乃至３は、本発明によるシェーバ１の例を示している。このシェーバは、（図1に概略的に描写されている）モータ１４を含む電動駆動構造部１５が収容されるハウジング２を持つ。駆動構造部は、各々のシェービングヘッド４内の３つの冠状カッタ３に接続される。カッタ３は、各々、複数の刃先５を持ち、前記刃先５は、各々、各々のシェービングヘッド４のスクリーン６の内面７に沿って動ける。スクリーン６は、スリット状の体毛収容開口部８を持つ。動作中、体毛収容開口部８を通って突き出る無精髭又は他の体毛が、シェービングヘッド４のスクリーン６の内面７に沿って動くカッタ３の刃先５によって切断される。
【０００９】
シェービングヘッド４は、シェービングヘッドホルダ１０において懸架される。シェービングヘッドホルダ１０は、シェービングヘッドホルダ１０の縁端部１１に沿ってハウジング２に接する動作位置から、ハウジング２から遠くへ回動された（図１及び２に示されている）開いた清掃位置へ、ハウジング２から遠くへ回動可能である。シェービングヘッドホルダ１０が、該シェービングヘッドホルダ１０の動作位置にある場合、それは、一方の側のシェービングヘッドホルダ１０と、反対側の、底部１６及び側壁部１７の形をしているハウジングの一部との間でヘアチャンバ１３を閉め切る。前記シェービングヘッドホルダ１０の清掃位置においては、該シェービングヘッドホルダ１０は、清掃のためのヘアチャンバ１３へのアクセスを可能にする。シェービングヘッドホルダ１０はまた、回動自在に懸架されるのと別の方法でハウジング２に懸架されてもよいことは分かるであろう。例えば、シェービングヘッドホルダ１０は、完全に着脱可能に取り付けられてもよい。シェービングヘッドホルダはハウジングに対して動けないと定めることも可能である。
【００１０】
ハウジング２は、防水性、又は少なくとも耐水性であり、故に、シェーバの少なくともシェービングヘッド側は、シェーバに危険又は損傷をもたらすことなしに、少なくとも短い間、水を流し掛けられ得る。
【００１１】
ヘアチャンバ１３は、側壁部１７における洗浄口１８を介して環境と通じている。側壁部１７における洗浄口１８は、各々、ハウジング２の外側に出口１９を持つ。洗浄口１８は、水流がヘアチャンバ１３を通って髭剃りくずを運び去ることを容易にすることによって洗浄を容易にする。洗浄口はハウジング２の外側に該洗浄口の出口１９を持つことから、水が非常に容易にヘアチャンバ１３内に流れ込み、ヘアチャンバ１３から流れ出ることを可能にする洗浄口１８は、非常に短い。
【００１２】
洗浄口１８を閉鎖する（図３に示されている）閉鎖位置と、水が洗浄口を通り抜けることを可能にする（図１及び２に示されている）洗浄位置との間で変位可能である閉鎖部材２０が設けられる。洗浄口１８の閉鎖は、シェーバが用いられる場合に髭剃りくずが洗浄口１８を通ってシェーバの外へ落ちることが防止されるという利点を供給する。これは、シェーバが、ドライシェーバとして、即ち、シェービングローションなしで用いられる場合であって、髭剃りくずが非常に細かいばらばらの小片から成る場合にとりわけ有利である。
【００１３】
閉鎖部材２０は、シェービングヘッドホルダ１０が動作位置にある場合の閉鎖位置からシェービングヘッドホルダ１０が清掃位置にある場合の洗浄位置への変位のためにシェービングヘッドホルダ１０に取り付けられ、故に、洗浄口１８は、シェービングヘッドホルダ１０が該シェービングヘッドホルダ１０の動作位置から遠くへ動かされる場合に自動的に開かれる。
【００１４】
洗浄口１３は、互いの反対側に取り付けられ、故に、水は、まっすぐにヘアチャンバ１３を通して流され得る、又は水が、シェービングヘッドホルダが該シェービングヘッドホルダの清掃位置にある場合に開いている側からヘアチャンバに入る場合には、水は、ヘアチャンバ１３を通して反対方向に流され得る。これは、へアチャンバ１３を通して流される水による髭剃りくずの効果的なエントレインメントに有利である。洗浄口が相対的に大きく、好ましくは、洗浄口の断面が、少なくとも３ｍｍ、好ましくは少なくとも４ｍｍの最小寸法を持つ場合にも、効果的且つ強力な洗浄に有利である。
【００１５】
本発明の枠内で多くの他の実施例が考えられることは分かるであろう。例えば、各洗浄口又は洗浄口の各グループを閉鎖するために別個の閉鎖部材が設けられてもよい。シェービングヘッドホルダは該シェービングヘッドホルダの動作位置から遠くへは動けないと定めることも可能である。その場合、ヘアチャンバは、閉鎖部材がない場合に、又はシェービングヘッドホルダがハウジングから遠くへ動くことなしに閉鎖部材が閉鎖位置から遠くへ変位可能である場合に水を流して洗われる。
【図面の簡単な説明】
【００１６】
【図１】シェービングヘッドホルダが清掃位置にある状態での、本発明によるシェーバの上部の部分切開側面図である。
【図２】図１に従うシェーバの正面図である。
【図３】シェービングヘッドホルダが動作位置にある状態での、図1の線III−IIIにおいて切断した断面の図である。
【図１】
2007518438.tif 000003
【図２】
2007518438.tif 000004
【図３】
2007518438.tif 000005
【国際調査報告】
2007518438.tif 000006
2007518438.tif 000007
2007518438.tif 000008